(57)【要約】      （修正有）【課題】ディスプレイ・デバイスに表示されるデータが、ディスプレイ・モード毎に１８０°シフトする腕時計などの電子機器を提供する。【解決手段】ケース２とケースに固着されたリストバンド２ａとを備え、そのケース２は、電子モジュール、ディスプレイ・デバイス５、および電子モジュールとディスプレイ・デバイス５に電力を供給する電源を密閉している、腕時計１などの電子機器であって、さらに、アンテナ２０を備え、手首の正規位置である第１の位置、および、第１の位置に対して１８０°回転した、反対位置に装着するように構成されている。第１の位置に装着された場合に、ディスプレイ・デバイス５を第１の正規ディスプレイ・モードに切り換え、また、第２の位置に装着された場合に、リバース・ディスプレイ・モードに切り換える制御手段を備え、ディスプレイ・デバイス５に表示されるデータが、ディスプレイ・モード毎に１８０°シフトされる。【選択図】図１
2008286799.tif 000002
【特許請求の範囲】
【請求項１】
使用者の手首に装着する、ケース（２）と前記ケースに取り付けられたリストバンド（２ａ）とを備え、
前記ケースが前記リストバンドに関して固定されている、
電子機器であって、
前記ケース（２）が、電子モジュール（６）、ディスプレイ・デバイス（５）、および前記電子モジュール（６）と前記ディスプレイ・デバイス（５）に電力を供給するための電源（１０）を密閉し、
この電子機器が、前記携帯型電子機器の中心（Ｏ）に対して、その中心を外れた位置に配置され、かつ、前記電子機器の基本平面（Π）に対して傾斜した位置に配置され、前記ケースに関して独立に移動できないパッチ・アンテナ（２０）をさらに備え、
前記電子機器が、手首のいわゆる正規位置である第１の位置、および手首の第２の位置、すなわち前記電子機器の基本平面（Π）に対して実質的に直角な軸（α）の周りに、前記第１の位置に対して１８０°回転した、いわゆる反対位置に装着することができるように構成され、
前記電子機器が、前記電子機器が前記第１の位置に装着された場合に、前記ディスプレイ・デバイス（５）を第１のいわゆる正規ディスプレイ・モードに切り換え、また、前記電子機器が前記第２の位置に装着された場合に、第２のいわゆるリバース位置に切り換えるための制御手段（６５）をさらに備え、前記ディスプレイ・デバイス（５）に表示される情報がディスプレイ・モードに応じて１８０°シフトする電子機器。
【請求項２】
前記ディスプレイ・デバイス（５）が、行電極および列電極の配列（５０）を備えたマトリックス・タイプの液晶ディスプレイ・デバイスであり、前記行電極の制御がディスプレイ・モードに応じて反転する請求項１に記載の電子機器。
【請求項３】
１つまたは複数の制御部材（１２、１３、１４、１５、１６）をさらに備え、
前記制御部材の各々が前記電子機器の少なくとも１つの機能に関連し、
前記制御手段（６５）が、前記制御部材の１つまたは複数の機能を同じく逆転させる
請求項１または２に記載の電子機器。
【請求項４】
制御部材（１２、１３、１４、１５）が、電子機器の中心（Ｏ）に対して対称に配置された請求項３に記載の電子機器。
【請求項５】
前記アンテナ（２０）が、前記電子機器の中心（Ｏ）に対して１２時または６時のいずれかに、リストバンドの長手方向であって中心を外れた位置に配置された請求項１に記載の電子機器。
【請求項６】
前記アンテナ（２０）が、さらに、前記電子機器の基本平面（Π）に対して傾斜した位置に配置された請求項５に記載の電子機器。
【請求項７】
前記アンテナ（２０）が、前記ケース（２）のベゼル部品（７）上に配置された請求項１に記載の電子機器。
【請求項８】
前記アンテナ（２０）が、誘電体（２２）によって接地平面（２３）から分離された放射素子（２１）を備えたパッチ・タイプのアンテナである請求項１に記載の電子機器。
【請求項９】
使用者の手首に装着する、ケース（２）と前記ケースに取り付けられたリストバンド（２ａ）とを備え、
前記ケースが前記リストバンドに関して固定されている、
電子機器であって、
前記ケース（２）が、電子モジュール（６）、ディスプレイ・デバイス（５）、および前記電子モジュール（６）と前記ディスプレイ・デバイス（５）に電力を供給するための電源（１０）を密閉し、
この電子機器が、前記携帯型電子機器の中心（Ｏ）に対して、その中心を外れた位置に配置され、前記ケースに関して独立に移動できないアンテナ（２０）と、１つまたは複数の制御部材（１２、１３、１４、１５、１６）とをさらに備え、
前記制御部材の各々が前記電子機器の少なくとも１つの機能に関連し、
前記電子機器が、手首のいわゆる正規位置である第１の位置、および手首の第２の位置、すなわち前記電子機器の基本平面（Π）に対して実質的に直角な軸（α）の周りに、前記第１の位置に対して１８０°回転した、いわゆる反対位置に装着することができるように構成され、
前記電子機器が、前記電子機器が前記第１の位置に装着された場合に、前記ディスプレイ・デバイス（５）を第１のいわゆる正規ディスプレイ・モードに切り換え、また、前記電子機器が前記第２の位置に装着された場合に、第２のいわゆるリバース位置に切り換えるための制御手段（６５）をさらに備え、前記ディスプレイ・デバイス（５）に表示される情報がディスプレイ・モードに応じて１８０°シフトし、
前記制御手段（６５）が、前記制御部材の１つまたは複数の機能を同じく逆転させる電子機器。
【発明の詳細な説明】
【技術分野】
【０００１】
本発明は一般に、手首に装着する電子機器に関し、詳細には無線周波数信号を受信し、かつ／または送信するためのアンテナを備えた電子機器に関する。本発明は、より詳細には、衛星航法および位置決め信号すなわちＧＰＳ信号を受信するためのアンテナを備えた上記種類の電子機器に関する。
【背景技術】
【０００２】
特許文書第ＥＰ  ０  ９８２  ６３９号に、使用者の手首に装着する電子機器、詳細にはＧＰＳ信号を受信することができるパッチ・タイプのアンテナを備えた電子機器が開示されている。この文書には、様々な変形態様が提示されており、これらの変形態様の各々に、ディスプレイ・デバイスの近くの中心を外れた位置にパッチ・アンテナが装着されている。
【０００３】
アンテナの配置、とりわけ衛星から送信される信号（ＧＰＳ信号など）を受信するためのアンテナの配置は、このような携帯用小型電子機器の設計における重要な要素である。実際に、衛星から送信される信号の高指向性を考慮すると、位置決めおよび航法データの最適抽出を可能にするためには、衛星収集段階や追跡段階の間、アンテナが地平面に対して基本的に直角になるように機器内におけるアンテナの配置を可能な限り最適化することが重要である。
【０００４】
この制約は、使用者の手首に装着するこの種の電子機器を例えば腕時計の形で製造しようとする場合、より一層重要な要素になる。実際、このような機器に与えられた微小寸法とその構造上の制約により、アンテナを配置することができる構成の数はごく限られている。また、機器が装着される使用者の手首が取る位置とその向きの関数として、アンテナが常に適切な方向に向けられることは一般的にはないことが多い。
【０００５】
例えば、アンテナの構成が、手首に装着される機器の自然読取り位置（親指が下を向いている）に最適受信位置を対応させている場合、その構成では、その機器を装着する人の前腕の自然位置がどちらかと言えば親指が上向きに向きなる、例えば走者あるいはサイクリストに対しては最適ではない。したがってこの構成は、このような活動に対しては適切ではなく、移動した経路の様々な地点の座標の記憶を使用者が欲する場合、特に適切でない。使用者が手首の内側に機器を装着した場合にも、同じ問題が生じる。
【特許文献１】ＥＰ  ０  ９８２  ６３９号
【特許文献２】ＥＰ  ０  ４７６  ４２５号
【発明の開示】
【発明が解決しようとする課題】
【０００６】
本発明の目的の１つは、上述した機器の構造上の制約があり、また、機器を手首に装着している使用者の活動、あるいは機器を手首に装着する方向に制限のある電子機器におけるアンテナの向きを可能な限り最適化するための単純な解決法を提供することである。
【０００７】
本発明の他の目的は、使用者のための快適性が向上し、かつ、従来技術の解決法に対する人間工学が改善された電子機器を提供することである。
【課題を解決するための手段】
【０００８】
したがって本発明は、手首に装着する、例えば腕時計などの携帯型電子機器に関しており、その特徴は特許請求の範囲の独立請求項１に記載されている。
【０００９】
本発明による有利な実施態様が、特許請求の範囲の従属請求項の主題を形成している。
【００１０】
本発明によれば、衛星信号を受信するためのアンテナは、機器の中心に対して、その中心を外れた位置、詳細には実質的に機器の周辺位置に配置されている。この機器は、機器のリストバンドの長手方向に配置されることが好ましく、電子機器の中心に対して１２時または６時のいずれかの位置であることが有利である。
【００１１】
本発明によれば、機器は、１つの方向と他の方向、つまり、第１のいわゆる自然位置すなわち正規位置とその自然位置に対して１８０°回転した（機器の平面に直角な軸の周りに）第２のいわゆる反対位置とに装着することができる。機器の使用（特に、表示されたデータの読取り）が、機器を装着している人が選択する位置によって影響されないよう、本発明による機器は、正規の読取りモードすなわち使用者の手首に装着されている機器の自然位置に対応する表示モードに対して、データが１８０°向きを変えて表示される他のモードにディスプレイを切り換えるための制御手段を備えている。
【００１２】
したがって使用者は、使用者が取る行動の種類、あるいは使用者が希望する手首への機器の装着方向に応じて、アンテナが地平面に対して基本的に直角に導かれることに注意を払いながら、機器を装着する１つの方向または他の方向を選択することができる。この場合、使用者は、ディスプレイのモードを切り換えるようにディスプレイを制御することにより、適切なデータ表示を得ることができる。
【００１３】
また、本発明は、使用者が同じ方法で同様に電子機器を制御することができるよう、特定の制御部材の機能の置換を提供している。詳細には、電子機器は、制御部材が電子機器の中心に対して実質的に対称に配置され、それにより機器を１８０°回転させた場合に、制御部材が実質的に同じ位置に配置されるように構成されることが好ましい。
【００１４】
異なる方向に装着することができるアナログ・ディスプレイ時計については、欧州特許第０  ４７６  ４２５号によって既に知られていることに留意されたい。この時計には、ダイヤルに対する時間基準の位置を修正するための調整手段が含まれている。したがって、例えば時間基準を６時に設定することにより、左の手首に装着する腕時計を、右の手首に装着する腕時計に転用することができる。この文書には、無線周波数信号を受信し、かつ／または送信するためのアンテナを備えた携帯型電子機器の製造には言及されていないことに留意されたい。また、この文書には、解決法を見出すべく本発明が取り扱っている問題についても解答されていない。
【発明を実施するための最良の形態】
【００１５】
本発明のその他の特徴および利点については、添付の図面に示す、何ら制限されることのない単なる実現例に過ぎない本発明の好ましい実施形態についての以下の詳細な説明を読むことにより、より明確になるであろう。
【００１６】
図１は、本発明による、参照数表示１で一括して示す、腕時計の形態を取っていることが有利である携帯型電子機器の平面図を示したものである。この腕時計１には、腕時計の内部に配置された電子モジュール（図２の６）に電気接続されたアンテナ２０が装着されている。この例では、このアンテナ２０は、１つまたは複数の遠方の送信源から送信される無線周波数信号を受信することができるように意図されている。より詳細には、このアンテナは、米国のシステムＮＡＶＳＴＡＲから発信されるＧＰＳ信号（Global Positioning System）、あるいは他の同様の衛星位置決め信号、例えばロシア連邦のシステムＧＬＯＮＡＳ、さらには欧州の衛星位置決めシステムＧＡＬＩＬＥＯなどからの信号を受信することができるように意図されている。
【００１７】
腕時計１の一般的な外観は、従来の腕時計の外観と類似しており、アンテナ２０以外に、一括して参照数表示２で示すケース、各端部がケース２に取り付けられたリストバンド２ａ、ガラス３、ガラス３の下側に配置されてケース２内に密閉されたディスプレイ・デバイス５（液晶ディスプレイなど）、および制御部材１２〜１６すなわち５つの押しボタンを備えている。押しボタンの１つ（１６）は６時の位置に置かれ、他の４つの押しボタン（１２〜１５）はケース２の周囲に置かれている。制御部材１２〜１５は、Ｏで示す腕時計１の中心に対して実質的に対称に配置されていることが有利である。
【００１８】
図２は、腕時計の中心Ｏを通る６時−１２時の軸に平行の断面線Ａ−Ａ’に沿って取った図１に示す腕時計１の断面を示したもので、ケース２、ガラス３、ディスプレイ・デバイス５、アンテナ２０、および６時の位置に置かれた押しボタン１６が示されている。腕時計１は、さらに、ケース２内に配置された電子モジュール６を備えている。電子モジュール６は、機器の様々な電子部品や電気部品が取り付けられた印刷回路基板６０と、電子モジュール６やディスプレイ・デバイス５に電力を供給する電源１０とを備えている。この例では、電源１０は、ケース２のバック・カバー内に配置された充電式蓄電池で構成されているが、この電源１０は、従来の蓄電池を使用することも可能であり（その場合、蓄電池を交換するためにケースのバック・カバー内に蓄電池コンパートメントを設けることが好ましい）、あるいは適切な電力を提供することができる他の任意の電源を使用することもできる。
【００１９】
ケース２は、側壁４ｂとボトム・カバーすなわちバック・カバー４ａとを備えた外部ボディ４を備え、かつ外部ボディ４の側壁４ｂに取り付けられたベゼル・エレメント７を備えていることが好ましい。ボトム４ａおよび側壁４ｂは単一部品でできていることが好ましいが、２つの別個の部品を１つにアセンブルし、この実施例の場合、典型的にはリストバンド２ａが取り付けられる腕時計１の中間部品とバック・カバーを形成させるようにしても良い。
【００２０】
ベゼル・エレメント７は、密閉方式（エレメント７の周囲に配置されたショルダと外部ボディ４の側壁４ｂに配置された同様のショルダとの間に、Ｏリング・ジョイント３０が設けられている）で外部ボディ４に取り付けられ、ガラス３を支えている。ガラス３は、エレメント７に溶着あるいは接着されていることが好ましい。このベゼル・エレメント７をプラスチック材料で作成し、ガラス３を例えば知られている超音波方式で溶着することが有利である。
【００２１】
また、ケース２内のベゼル・エレメント７と外部ボディ４のボトム４ａの間には、ケーシング・リングを形成している追加エレメント８が配置されている。このエレメント８は、図には示されていないが固定手段によってボトム４ａに固着されている。
【００２２】
エレメント７と８は、ある意味ではコンテナの上部および下部部分を形成しており、ディスプレイ・デバイス５と電子モジュール６はその内部に密閉されている。電源１０は、ケーシング・リング・エレメント８と外部ボディ４のボトム４ａの間に配置されている。この蓄電池は、別法として、ディスプレイ・デバイス５や電子モジュール６と共に、エレメント７と８の間に密閉することができることは容易に理解されよう。
【００２３】
図に示す例では、アンテナは、１２時の位置で、ディスプレイ・デバイス５が設置される平面（Πで示す）に対して傾斜した位置に配置されることが有利である。それにより、使用者がディスプレイ・デバイス５のデータを読み取る際にアンテナが実質的に上向きにされ、手首の自然位置におけるＧＰＳ信号の受信を最適化できるので有利である。より詳細には、アンテナ２０は、ベゼル・エレメント７によって機械的に支えられ、７ａで示す前記エレメントの外部表面に載せられている。
【００２４】
図２では、アンテナ２０は、パッチ・タイプすなわち形状が実質的に平行六面体のアンテナであることが分かる。アンテナ２０は、より広い接地平面２３からセラミック・エレメントなどの誘電体２２によって分離された放射素子２１を備えている。放射素子２１は、接地平面２３から絶縁された、電子モジュール６に接続するように誘電体２２を貫通した励起すなわち給電導体２５によって励起される。給電導体２５の通過を可能にする開口７ｃがエレメント７に設けられている。接地平面２３は、同じく開口７ｃを貫通している個別接地導体２６によって電子モジュールに電気接続されている。パッチ・タイプのアンテナは広く使用されており、構造が単純で、かつ、製造コストが安いという利点を有している。
【００２５】
外部ボディ４が金属材料製であり、ケーシング・リングを形成しているベゼル・エレメント７およびエレメント８がプラスチック材料製であることが好ましい。図１および２に示すように、この例では、腕時計は、さらに、ベゼル・エレメント７を覆うようにスナップ嵌合いによってベゼル・エレメント７に取り付けられた、基本的に形状が環状である外部エレメント１１を備えている。この環状外部エレメント１１は、外部ボディ４に使用されている材料と同様の金属材料でできており、アンテナ２０を収納する開口１１ａ（図１に示す）を有していることが好ましい。また、アンテナ２０を外部環境から保護するために、誘電材料製の保護キャップ９がベゼル・エレメント７に追加されている。別法として、環状外部エレメント１１や保護キャップ９を、アンテナ２０の動作を妨害することのない材料でできた単一部品にすることができることは容易に理解されよう。
【００２６】
図１および２に示す機器の特定の構造は、本出願人が出願した並行出願の主題をなすものであり、ここではその詳細な説明は省略する。ここで重要なことは、アンテナ２０が中心を外れた位置、例えばこの例の場合、腕時計の周囲に配置されていることである。
【００２７】
図３ａ〜３ｃは、アンテナが１２時の位置に向きされた、手首のいわゆる自然位置すなわち正規位置である第１の位置にある機器と、アンテナが６時の位置に向いた、腕時計の基本平面Πに対して実質的に直角な軸α（図２参照）の周りに正規位置に対して１８０°回転させた、いわゆる反対位置である第２の位置にある機器を示す、図１および２の腕時計の３つの平面図を示したものである。
【００２８】
より詳細には、図３ａは、アンテナが１２時の位置にあり、データ（例えばＧＰＳ信号から引き出された緯度および経度データ、および時間）を表示するディスプレイ・デバイス５が、手首に装着されている腕時計の正規位置に対応するいわゆる正規ディスプレイ・モードにある手首の正規位置にある腕時計を示したものである。図３ｂおよび３ｃは、反対位置にある同じ腕時計を示したもので、ディスプレイが図３ａの正規ディスプレイ・モードにある場合と、データが正規ディスプレイ・モードに対して１８０°向きを変えて表示されるリバース・ディスプレイ・モードにある場合とをそれぞれ示している。
【００２９】
本発明によれば、必要な電磁信号（例えばＧＰＳ信号）を最良の状態で受信するために、アンテナ２０を６時の位置に向かせるのに必要な行動を取ろうとする使用者は、先ず最初に、装着している腕時計を図３ｂに示す位置に合わせ、次に、１つまたは複数の制御部材１２〜１６を適切に操作し、ディスプレイ・デバイス５を、いわゆるリバース・ディスプレイ・モードに切り換えることになる。非制限の実施例では、このような切換えは、腕時計１の正面に配置された押しボタン１６を長く押し続けることによって起動される。
【００３０】
また、ディスプレイ・デバイス５を正規ディスプレイ・モードから、あるいはリバース・ディスプレイ・モードから切り換えるだけでなく、特定の制御部材の機能を逆にすることも有利である。詳細には、本発明による好ましい実施形態として示す腕時計は、４つの押しボタン１２〜１５が腕時計の周囲に、腕時計の中心Ｏに対して対称に配置されるように構成されている。したがって、制御部材１２および１３は、図３ａ〜３ｃに示す正規位置および反対位置において、制御部材１４および１５の場所をそれぞれ占めている（あるいは、制御部材１４および１５が、制御部材１２および１３の場所を占めている）。したがって、正規位置から反対位置へ置き換えられている間、あるいは反対位置から正規位置へ置き換えられている間、一方においては制御部材１２と１４の機能を、他方においては制御部材１３と１５の機能を逆にすることが有利である。
【００３１】
図に示す実施形態には、押しボタン・タイプの制御部材が参照されているが、他のタイプの制御部材、例えばジョイスティック、トラック・ボール、接触感応キーまたは他の適切な任意のタイプの制御部材を使用することができることに留意されたい。これらの制御部材は、使用者の手動操作を電気信号に変換することができる電気機械変換器、磁気変換器、誘導性変換器、圧電変換器、光検出手段または他の任意のタイプの変換器で実現することができる。
【００３２】
したがって、少なくとも２つの相対する方向に沿った軸方向移動、ピボッティングまたは回転（北−南および東−西の移動、時計方向および反時計方向の回転）に耐えることができるジョイスティック、トラック・ボールあるいは他の任意のタイプの制御部材を使用する場合、ディスプレイ・デバイスの切換えには、制御部材の機能の逆転、すなわち制御部材を起動する方向の反転が伴うことになる。
【００３３】
図４は、前述の操作、すなわち最初にディスプレイ・デバイスのディスプレイ・モードを切り換え、次に制御部材１２〜１５の機能の逆転を達成するべく実装された手段を略図で示したものである。
【００３４】
したがって図４には、詳細には、腕時計の押しボタン１２〜１６、ディスプレイ・デバイス５、押しボタンの操作を処理し、かつ、ディスプレイ・デバイス５に表示すべきデータおよび情報を制御するマイクロコントローラすなわちマイクロプロセッサ６５、および押しボタン対１２−１４および１３−１５の機能を逆転させるための２つのハンド・ユニット６６および６７が示されている。
【００３５】
本発明に使用されているディスプレイ・デバイス５は、５０で示す行電極と列電極の交差配列を備えたマトリックス・タイプの液晶ディスプレイであることが好ましい。このタイプのディスプレイは共通のタイプであり、したがってここではその詳細な説明は省略する。このタイプのマトリックス・ディスプレイ・デバイスには、通常、参照数表示５１で示す行信号生成手段、および参照数表示５２で示す列信号生成手段が含まれており、これらの生成手段がいずれも、マイクロコントローラ６５から送信される表示すべきデータの関数として制御されていることだけ簡単に言及しておく。
【００３６】
マトリックス・ディスプレイのディスプレイ・モード毎の１８０°のシフトは、選択されているディスプレイ・モードが正規モードであるか、あるいはリバース・モードであるかに応じて表示する行の制御を逆にすることによって、すなわち最初の行から最後の行までの対応する行電極に行信号が印加されるよう、あるいは最後の行から最初の行までの対応する行電極に行信号が印加されるよう、行信号生成手段５１に命令することによって容易に達成することができる。
【００３７】
マトリックス・タイプの液晶ディスプレイを使用することが好ましいが、それに限定されないことに言及しておかなければならない。実際に、通常の電極配列を持たない、例えばセグメント・タイプ・ディスプレイなどのディスプレイの使用を完璧に意図することができる。ディスプレイ・デバイス（詳細には電極）またはディスプレイ・デバイスの少なくとも一部に対しては、腕時計の正規位置および反対位置の両方の位置で読み取ることができるデータを表示することができるよう、十分に慎重でなければならない。
【００３８】
ディスプレイ・デバイスは、必要に応じて時間を表示するための追加アナログ・ディスプレイ・デバイスを備えることができることに留意されたい。その場合、手の時間基準位置（正午位置）を調節するための手段を用意しなければならない。そのためには、当分野の技術者には、例えばプリアンブルで記載した欧州特許出願第０  ４７６  ４２５号を参照されたい。
【００３９】
制御部材の機能の逆転に関しては、この操作は、前述の２つのハンド・ユニット６６、６７によって容易に達成することができる。したがって押しボタン対１２−１４および１３−１５は、第１のハンド・ユニット６６および第２のハンド・ユニット６７にそれぞれ接続されている。ハンド・ユニット６６、６７の各々は、使用者によって例えば正面押しボタン１６を介して為される切換え行動に応答して、マイクロコントローラ６５の出力によって制御される。
【００４０】
ハンド・ユニット６６、６７の各々は、使用者によって為される操作の結果として、関連する押しボタン対から発信される信号の方向を、マイクロコントローラ６５の対応する入力へ向けて変更する機能を有している。図４に示す略図から分かるように、ハンド・ユニットの各々は、選択されるモードの結果として、入力６６ａ、６６ｂ（それぞれ６７ａ、６７ｂ）の方向を、出力６６ｃ、６６ｄあるいは６６ｄ、６６ｃ（それぞれ６７ｃ、６７ｄあるいは６７ｄ、６７ｃ）に向けてそれぞれ変更するための第１および第２のスイッチＣ１、Ｃ２を備えている。
【００４１】
本明細書において説明した実施形態には、特許請求の範囲の各請求項に定義されている本発明の範囲を逸脱することなく、当分野の技術者には明らかな様々な改変および／または改良を加えることができることは理解されよう。詳細には、本発明は、パッチ・タイプのアンテナを備えた腕時計あるいは携帯型機器に限定されない。しかしながらこのパッチ・アンテナは、構造が極めて単純で、かつ、極めて安価な、衛星位置決め信号の受信に最適のアンテナの一例を構成している。
【００４２】
また、図に示したアンテナの特定の配置に何ら制限のないことについても理解されよう。したがって、他の位置、例えば３時または９時の位置へのアンテナの配置を意図することも明らかに可能である。
【００４３】
最後に、本発明は、衛星航法および位置決め信号を受信するための電子機器、アンテナに起因する問題および／または他のアプリケーションにも同様に生じ得る機器の人間工学に限定されないことを理解されたい。
【図面の簡単な説明】
【００４４】
【図１】本発明の好ましい実施形態を形成している腕時計の平面図である。
【図２】図１の断面線Ａ−Ａ’に沿って取った腕時計の横断面図である。
【図３】アンテナが１２時の位置に向きされた、手首のいわゆる自然位置すなわち正規位置である第１の位置にある機器と、アンテナが６時の位置に向きされた、腕時計の基本平面に対して実質的に直角な軸の周りに、正規位置に対して１８０°回転した、いわゆる反対位置である第２の位置にある機器を示す、図１および２の腕時計の３つの平面図である。
【図４】腕時計ディスプレイ・デバイスの切換え操作および腕時計制御部材の機能の置換を達成するべく実施された手段を示す略図である。
【符号の説明】
【００４５】
１    腕時計
２    ケース
２ａ  リストバンド
３    ガラス
４    外部ボディ
４ａ  バック・カバー（ボトム・カバー）
４ｂ  側壁
５    ディスプレイ・デバイス
６    電子モジュール
７    ベゼル・エレメント
７ｃ  開口
８    追加エレメント
９    保護キャップ
１０  電源
１１  環状外部エレメント
１１ａ  開口
１２〜１６  押しボタン
２０  アンテナ
２１  放射素子
２２  誘電体（セラミック・エレメント）
２３  接地平面
２５  給電導体
２６  個別接地導体
３０  Ｏリング・ジョイント
５０  行電極と列電極
５１  行信号生成手段
５２  列信号生成手段
６５  マイクロプロセッサ（マイクロコントローラ）
６６、６７  ハンド・ユニット
６６ａ、６６ｂ（６７ａ、６７ｂ）  入力
６６ｄ、６６ｃ（６６ａ、６６ｂ）  出力
Ｃ１  第１のスイッチ
Ｃ２  第２のスイッチ
【図１】
2008286799.tif 000003
【図２】
2008286799.tif 000004
【図３】
2008286799.tif 000005
【図４】
2008286799.tif 000006